(57)【要約】【課題】外周面への印刷を所望の位置にずれなく行うことができるスポーツ用品用シャフトを提供する。【解決手段】筒状であって、少なくとも一方の端部に位置決め用切り欠き１１が形成されているスポーツ用品用シャフトを使用する。また、印刷には、印刷面２１ａを備えた印刷手段と、前記外周面の一部を前記印刷面２１ａに当接させるとともに、該シャフトを該印刷面２１ａ上で相対転動可能に支持するシャフト支持手段２２とを備え、該シャフト支持手段２２は、前記端部に嵌合して前記シャフトと一体に一定角度内で前記相対転動可能な嵌合治具２３を具備し、該嵌合治具２３には、前記嵌合した際に前記位置決め用切り欠き１１に係合する係合突起２３ｂが形成されたシャフト用印刷装置２０を使用する。【選択図】図３
2008068150.tif 000002
【特許請求の範囲】
【請求項１】
筒状で、長さ調節の際に切り落とされる太径側の端部に、該端部側が最も広く、徐々に狭くなるような形状の位置決め用切り欠きが切断により形成された繊維強化樹脂層を備えたゴルフクラブ用シャフトであって、
前記位置決め用切り欠きは、当該ゴルフクラブ用シャフトの測定された曲げ剛性値が保証される位置に対応するように設けられたことを特徴とするゴルフクラブ用シャフト。
【請求項２】
外周面の少なくとも一部に、印刷が施されていることを特徴とする請求項１に記載のゴルフクラブ用シャフト。
【請求項３】
繊維強化樹脂層が炭素繊維強化樹脂層であることを特徴とする請求項１または２に記載のゴルフクラブ用シャフト。
【発明の詳細な説明】
【技術分野】
【０００１】
本発明は、ゴルフクラブ用シャフトに関する。
【背景技術】
【０００２】
ゴルフクラブ、釣り竿、スキーストックなどに使用されるスポーツ用品用シャフトは、例えば炭素繊維強化樹脂などから製造され、軽量化されたものが多い。また、これらの外周面にロゴマークなどの印刷が施されて、様々な意匠性が付与されたものも多く流通している。このようにスポーツ用品用シャフトなどのシャフトの外周面に、ロゴマークなど何らかの印刷を施す場合には、例えば、熱転写印刷用やスクリーン印刷用などの印刷面を備えた印刷手段を使用し、この印刷面の上に、円筒状のシャフトを転動させることによって、所望のロゴマークなどを熱転写させたり、スクリーン印刷したりする方法が実施されている。
【発明の開示】
【発明が解決しようとする課題】
【０００３】
しかしながら、このようにして円筒状のシャフトを印刷面上に転動させて、シャフトの外周面における所望の特定の位置に印刷を施すためには、作業者が目視により位置合わせをする必要があり、作業者に高度な技術が要求された。また、このような位置合わせをシャフト１本ずつに対してそれぞれ行う必要があるため、作業効率も悪かった。さらに、作業者の技術レベルによって、印刷の仕上がりが異なってしまう場合もあった。また、特に、スクリーン印刷による多色刷りの場合には、特定の位置に印刷を複数回繰り返すことにより色を重ねていくが、その場合には、たとえ高度な技術を有する技術者であっても毎回同じ位置に正確に色を重ねていくことは難しく、スクリーン印刷による多色刷りを、ずれなく、美しく施すことは非常に困難であった。
【０００４】
位置合わせを容易に行う他の方法としては、例えば、赤外線センサなどの位置決め手段を使用して、印刷版とシャフトの外周面とを位置合わせする方法も考えられる。しかし、このような方法では、赤外線センサなどを備えた印刷装置が必要となり、装置構成が複雑化し、高価になるうえ、位置合わせの精度も十分ではない可能性が高い。
【０００５】
本発明は上記事情に鑑みてなされたもので、いかなる技術レベルの作業者であっても、外周面への印刷を所望の位置にずれなく行うことができるゴルフクラブ用シャフトを提供することを課題とする。
【課題を解決するための手段】
【０００６】
本発明のゴルフクラブ用シャフトは、筒状で、長さ調節の際に切り落とされる太径側の端部に、該端部側が最も広く、徐々に狭くなるような形状の位置決め用切り欠きが切断により形成された繊維強化樹脂層を備えたゴルフクラブ用シャフトであって、前記位置決め用切り欠きは、当該ゴルフクラブ用シャフトの測定された曲げ剛性値が保証される位置に対応するように設けられたことを特徴とする。
前記ゴルフクラブ用シャフトは、外周面の少なくとも一部に、印刷が施されたものであってもよい。
また、前記繊維強化樹脂層は、炭素繊維強化樹脂層であることが好ましい。
【発明の効果】
【０００７】
本発明のゴルフクラブ用シャフトによれば、少なくとも一方の端部に位置決め用切り欠きが形成されているので、その外周面の所望の位置に印刷などの後処理を施す場合に、容易に、かつ、確実に位置決めをすることができる。
【発明を実施するための最良の形態】
【０００８】
以下、本発明を詳細に説明する。図１は、本発明のスポーツ用品用シャフトの一例を示す斜視図であって、筒状に形成され、一方の端部にＩ字状の位置決め用切り欠き１１が形成されたゴルフクラブ用シャフト１０である。この位置決め用切り欠き１１は、詳しくは後述するが、スポーツ用品用シャフトの外周面における特定の位置に対してロゴマークなどをずれなく印刷する場合等、スポーツ用品用シャフトに対して何らかの後工程を行う際の位置決めに好適に利用されるものである。 
【０００９】
ここでゴルフクラブ用シャフト１０などのスポーツ用品用シャフトの材質としては特に制限はなく、例えば、エポキシ樹脂などのマトリクス樹脂が、炭素繊維、ガラス繊維、アラミド繊維、ボロン繊維、炭化ケイ素繊維、アルミナ繊維、スチール繊維などの繊維で強化された繊維強化樹脂からなるものなどを例示できる。また、スポーツ用品用シャフトは、このような繊維強化樹脂の単層構造でもよいし、例えば繊維の向きが異なる複数層が積層した多層構造でもよく、シートラップ成形、フィラメントワインディング成形、内圧成形などで製造されるものである。図１の例のゴルフクラブ用シャフト１０は、複数の炭素繊維強化樹脂層からなるものである。 
【００１０】
また、このゴルフクラブ用シャフト１０は、その外径が一方の端部１０ａから他方の端部１０ｂに向けて徐々に縮径したものであって、この例においては、太径側の端部１０ａに位置決め用切り欠き１１が形成されている。位置決め用切り欠き１１は、太径側の端部１０ａに形成されていても、細径側の端部１０ｂに形成されていてもよいが、ゴルフクラブ用シャフト１０は、後にその太径側にグリップ部材が装着され、一方、細径側にヘッド部材が装着されてゴルフクラブとなる。そして、通常、太径側が適宜切断されて使用者に応じた長さに調節されることが多い。したがって、ゴルフクラブ用シャフト１０の場合には、このような位置決め用切り欠き１１を太径側の端部１０ａに形成しておくと、この位置決め用切り欠き１１が、後の長さ調節の際に不要部分とともに切り落とされるため、最終的に得られるゴルフクラブ用シャフト１０の性能に、位置決め用切り欠き１１が何らかの影響を与える可能性を排除できる。 
【００１１】
なお、この例のゴルフクラブ用シャフト１０は、太径側の端部１０ａの内径が１０〜２５ｍｍ、細径側の端部１０ｂの内径が３〜１０ｍｍ、全長が８００〜１３００ｍｍであって、Ｉ字状の位置決め用切り欠き１１は、長さが２〜１０ｍｍ、幅が１〜５ｍｍ程度に形成される。ここで、長さが２ｍｍ未満であると、後に説明するように、この位置決め用切り欠き１１にシャフト用印刷装置の係合突起を係合させる際の係合性が低下し、確実に係合できなく可能性がある。一方、１０ｍｍを超えると、この位置決め用切り欠き１１が形成された方の端部１０ａの強度が低下する可能性がある。また、幅が１ｍｍ未満では、この位置決め用切り欠き１１に係合するシャフト用印刷装置の係合突起の大きさも小さくする必要があるため、印刷作業時の作業性が低下する傾向がある。一方、５ｍｍを超えると、この位置決め用切り欠き１１が形成された方の端部１１ａの強度が低下する可能性があるとともに、この位置決め用切り欠き１１を、例えば後述するように、各ゴルフクラブ用シャフト１０の曲げ剛性を保証する位置に対応するように決定した場合には、その位置を特定する精度が低下する傾向にある。 
【００１２】
なお、ここでは位置決め用切り欠き１１の形状はＩ字状のものが例示されているが、これに限定されない。例えば、図２（ａ）に示すＶ字状、図２（ｂ）に示すＵ字状、図２（ｃ）に示すような扇状などの形状を例示でき、これらのなかで最も好ましい形状は図２（ｃ）の扇状である。このように位置決め用切り欠き１１の形状が、端部１０ａ側が最も広く、徐々に狭くなるような形状であると、後述するようにこの位置決め用切り欠き１１にシャフト用印刷装置の係合突起を係合させる際に、係合突起が容易に位置決め用切り欠き１１にはまりやすいとともに、確実に係合する。また、位置決め用切り欠き１１の形成方法にも特に制限はなく、適宜、ダイヤモンドや砥石などの研削材を備えた切断具を使用して形成すればよい。さらに、位置決め用切り欠き１１は、必要に応じて、ゴルフクラブ用シャフト１０の両端部に形成されていてもよい。 
【００１３】
また、図１の例ではスポーツ用品用シャフトとして、ゴルフクラブ用シャフト１０を例示しているが、スポーツ用品用途に使用されるシャフトであれば特に制限はなく、例えば、釣り竿用シャフト、スキーストック用シャフトなどであってもよい。また、図１の例のゴルフクラブ用シャフト１０のように、太径側の端部１０ａから細径側の端部１０ｂに向けて径が縮径したものでなくてもよく、全長が一定の径で形成されたものであってもよい。 
【００１４】
このようなスポーツ用品用シャフトによれば、少なくとも一方の端部１０ａに、位置決め用切り欠き１１が形成されているので、図３に示すようなシャフト用印刷装置２０を使用することにより、スポーツ用品用シャフトの外周面の所望の位置に何らかの印刷を施す場合に、熱転写印刷による印刷はもちろん、スクリーン印刷によって色を重ねていく多色刷りの場合であっても、所望の位置に、ずれなく、美しいロゴマークなどを印刷することができる。また、印刷に限らず、何らかの後工程を行う際に容易に位置決めすることができる。 
【００１５】
図３は、シャフト用印刷装置２０の所定の位置に、図１のゴルフクラブ用シャフト１０が配置された状態を示す斜視図である。このシャフト用印刷装置２０は、印刷手段として、図中下方向きの印刷面２１ａを備えた印刷版２１を有し、また、ゴルフクラブ用シャフト１０の外周面の少なくとも一部を、この印刷面２１ａに当接させるとともに、このゴルフクラブ用シャフト１０を印刷版２１上で相対転動可能に支持するシャフト支持手段２２とを備えている。 
【００１６】
このシャフト用印刷装置２０において印刷版２１は、ゴルフクラブ用シャフト１０の長さ方向に略平行な水平方向に移動可能となっている。この例では、印刷版２１は枠部材２４に固定され、この枠部材２４には２本の水平駆動シャフト２６が接続されていて、水平駆動シャフト２６が動作することによって、印刷版２１が枠部材２４ごと水平方向に移動するようになっている。一方、シャフト支持手段２２は、ゴルフクラブ用シャフト１０の太径側の端部１０ａを保持しながら、ゴルフクラブ用シャフト１０ａとともに上昇して、その外周面の一部を印刷面２１ａに当接させることができるとともに、当接した状態でゴルフクラブ用シャフト１０が印刷面２１ａ上を転動できるように支持するものである。この例では、シャフト支持手段２２には２本の垂直駆動用シャフト２５が接続されていて、この駆動用シャフト２５が上下することにより、ゴルフクラブ用シャフト１０を保持したシャフト支持手段２２も上下するようになっている。 
【００１７】
すなわち、このシャフト用印刷装置２０においては、図４に模式的に示すように、ゴルフクラブ用シャフト１０の外周面の一部が印刷面２１ａに当接した状態で、印刷版２１が水平な図中矢印方向に移動することによって、ゴルフクラブ用シャフト１０がその軸線１０ｃを中心に回転して、相対的には印刷面２１ａ上を転動し、その結果、ゴルフクラブ用シャフト１０の外周面に、印刷面２１ａから所望のパターンが印刷されるようになっている。 
【００１８】
そして、ここでシャフト支持手段２２は、ゴルフクラブ用シャフト１０が印刷面２１ａ上を転動できるように支持する手段として、嵌合治具２３を有している。この嵌合治具２３は、図５に拡大して示すように、ゴルフクラブ用シャフト１０における太径側の端部１０ａ、すなわち、位置決め用切り欠き１１が形成された方の端部１０ａに嵌合して、このゴルフクラブ用シャフト１０を保持しつつ、これと一体に、限られた一定角度内で印刷面２１ａ上を相対転動可能なものであって、ゴルフクラブ用シャフト１０の端部に嵌合する本体２３ａと、嵌合時においてゴルフクラブ用シャフト１０の位置決め用切り欠き１１が係合する凸状の係合突起２３ｂとから構成されている。この例では、本体２３ａは、ゴルフクラブ用シャフト１１の太径側の端部１０ａの内径よりクリアランス程度小さい外径の円柱からなり、この本体２３ａの外周上に係合突起２３ｂが形成されている。 
【００１９】
このように係合突起２３ｂが形成された嵌合治具２３を使用すると、ゴルフクラブ用シャフト１０にこの嵌合治具２３が嵌合する時には、常に位置決め用切り欠き１１がこの係合突起２３ｂに係合する。したがって、嵌合治具２３は確実にゴルフクラブ用シャフト１０を保持することができる。また、嵌合治具２３は、限られた一定の角度内のみで相対転動が可能なようにあらかじめ設定されているので、常にその係合突起２３ｂが位置決め用切り欠き１１に係合するようにゴルフクラブ用シャフト１０を保持することによって、ゴルフクラブ用シャフト１０の外周面における特定の部分のみが、印刷面２１ａ上を転動するように制御することができる。すなわち、ゴルフクラブ用シャフト１０の外周面における所望の特定の部分に印刷することができる。 
【００２０】
なお、図３においては、ゴルフクラブ用シャフト１０の細径側の端部１０ｂは、支持されておらずフリーな状態となっている。また、シャフト支持手段２２は、ゴルフクラブ用シャフト１０の長さ方向の中央付近を支持可能な３つの対ローラ２７を有していて、これら対ローラ２７を適宜使用して、ゴルフクラブ用シャフト１０を下方から支持可能となっている。 
【００２１】
また、印刷手段としては、印刷面２１ａを備え、その印刷面２１ａ上にゴルフクラブ用シャフト１０を相対転動させることによって所望のパターンが印刷されるものであれば制限はなく、熱転写印刷用のフィルムや、スクリーン印刷用のスクリーンを備えたものなどを例示できる。熱転写印刷の場合には所望のロゴマークなどが形成されたフィルムがゴルフクラブ用シャフト１０の外周面に熱転写され、一方、スクリーン印刷の場合にはスクリーン印刷がゴルフクラブ用シャフト１０の外周面に施され、所望の印刷が施される。 
【００２２】
また、嵌合治具２３は、あらかじめ一定の角度内で相対転動可能なように設定されたものであるが、その角度は任意に設定可能である。例えば、この角度が３６０°であれば、ゴルフクラブ用シャフト１０は印刷面２１ａ上で軸線１０ｃを中心として１周するし、１２０°であれば１／３周する。そして、この際に印刷面２１ａに接した部分にのみ、印刷が施される。 
【００２３】
また、この例のシャフト用印刷装置２０は、図示略のフットスイッチなどの制御手段を備えていて、これを作動させることによって、垂直駆動用シャフト２５と水平駆動用シャフト２６が動き、ゴルフクラブ用シャフト１０を保持したシャフト保持手段２２が上昇してゴルフクラブ用シャフト１０の外周面の一部を印刷面２１ａに当接させる動作と、ゴルフクラブ用シャフト１０の外周面が印刷面２１ａに当接した状態の印刷版２１が水平に移動する動作と、その後、シャフト支持手段２２が下降してゴルフクラブ用シャフト１０の外周面が印刷面２１ａから離れるとともに印刷版２１が元の位置に水平移動して戻る動作とが一連に行われるようになっている。 
【００２４】
次に、図３のシャフト印刷装置２０を使用して、ゴルフクラブ用シャフト１０の外周面の特定の一部に印刷を施す方法について、具体的に説明する。まず、図３に示すように、ゴルフクラブ用シャフト１０における位置決め用切り欠き１１が形成された方の端部１１ａに、シャフト支持手段２２の嵌合治具２３を嵌合させる。この場合、図５に示すように嵌合治具２３の係合突起２３ｂが位置決め用切り欠き１１に係合するようにする。 
【００２５】
ついで、シャフト支持手段２２に備えられた図示略の制御手段を作動させることによって、シャフト支持手段２２が上昇し、嵌合治具２３で保持された状態のゴルフクラブ用シャフト１０の外周面が印刷面２１ａに当接する図４に示す状態となる。ついで、図６に示すように印刷版２１が水平方向に移動することによって、ゴルフクラブ用シャフト１０が、図６においては図示略の嵌合治具と一体に印刷面２１ａ上を一定の角度内で相対転動して、ゴルフクラブ用シャフト１０の外周面の一部に印刷が施される。その後、図７に示すように、シャフト支持手段２２が下降してゴルフクラブ用シャフト１０の外周面が印刷面２１ａから離れるとともに、印刷版２１が水平移動して元の位置に戻る。そして、嵌合治具２３からゴルフクラブ用シャフト１０を取り外すことによって、印刷が施されたゴルフクラブ用シャフト１０が得られる。こうした一連の動作を繰り返すことにより、複数のゴルフクラブ用シャフト１０を連続的に印刷することができる。 
【００２６】
このようなシャフト用印刷装置２０においては、嵌合治具２３として、ゴルフクラブ用シャフト１０の位置決め用切り欠き１１に係合する係合突起２３ｂを有しているとともに、ゴルフクラブ用シャフト１０と一体に、設定された一定角度内で相対転動が可能なものを備えている。したがって、各ゴルフクラブ用シャフト１０の端部における特定の位置にあらかじめ位置決め用切り欠き１１を形成しておき、これが係合突起２３ｂに係合するようにこのゴルフクラブ用シャフト１０をシャフト支持手段２２の嵌合治具２３に取り付けるだけで、目視による位置決めなどを各ゴルフクラブ用シャフト１０に対して一々行うことなく、ゴルフクラブ用シャフトの１０外周面における所望の特定の位置に、毎回正確に、ずれなく印刷を施すことができる。よって、このようなシャフト用印刷装置に２０よれば、熱転写印刷による印刷はもちろん、１本のゴルフクラブ用シャフト１０に対して２回以上印刷作業を繰り返す、スクリーン印刷による多色刷りの場合であっても、所望の位置に精度よく刷りを重ねることができ、ずれのない、美しい印刷を安定して形成することができる。 
【００２７】
なお、ゴルフクラブ用シャフト１０にあらかじめ形成される位置決め用切り欠き１１は、印刷予定位置に対応した特定の位置にあらかじめ形成しておき、ゴルフクラブ用シャフト１０の外周面における所望の位置に印刷がなされるようにしておけばよいが、さらに、各ゴルフクラブ用シャフト１０の曲げ剛性を保証する位置にも対応するように決定しておくと、ゴルフクラブ用シャフト１０にヘッド部材を取り付ける際の作業性が優れるとともに、得られたゴルフクラブは、外観的にも良好なものとなる。 
【００２８】
すなわち、ゴルフクラブ用シャフト１０は、通常、ゴルフクラブ用シャフトメーカーなどにおいて、あらかじめその曲げ剛性が測定されてからゴルフクラブメーカーに送られる。そして、ゴルフクラブメーカーで、そのゴルフクラブ用シャフトにヘッド部材とグリップ部材とが装着されることが多い。この際、例えばゴルフクラブ用シャフト１０が、炭素繊維強化樹脂層などの繊維強化樹脂層を１層以上備えたものである場合などには、層の積層状態に起因して、ゴルフクラブ用シャフト１０の周上の位置によって、測定される曲げ剛性値が若干異なることがある。そのため、ゴルフクラブ用シャフトメーカーは、通常、曲げ剛性を測定した測定位置がどこであるか、その位置をインクなどで外周面上にマーキングしてから、そのゴルフクラブ用シャフト１０をゴルフクラブメーカーに送り、ゴルフクラブメーカーでは、そのマーキングを参考として、例えば、ヘッド部材の先端（トゥヒール）の向きがマーキングと一致するように、ヘッド部材の装着を行っている。 
【００２９】
しかしながら、以上説明したように、ゴルフクラブ用シャフト１０にあらかじめ形成される位置決め用切り欠き１１を、単に印刷予定位置に対応させた位置に形成するだけでなく、さらに、測定された曲げ剛性値が保証される位置にも対応させて形成しておくと、消えてしまう可能性もあるインクによるマーキングを別途行う必要がないので、ゴルフクラブ用シャフトメーカーにおける作業性が優れる。また、ゴルフクラブメーカーにおけるヘッド部材の装着も、この位置決め用切り欠き１１の位置や、施された印刷を目印として行えばよいので、例えば、印刷されたロゴマークの位置と、ヘッド部材の先端の位置とを容易に一致させることができ、外観が良好なゴルフクラブを容易に得ることも可能となる。
【００３０】
なお、以上の説明においては嵌合治具２３として、図５に示すように、ゴルフクラブ用シャフト１０の一方の端部１０ａの内側に嵌合する円柱状の本体２３ａと、嵌合時においてゴルフクラブ用シャフト１０の位置決め用切り欠き１１が係合するような凸状の係合突起２３ｂとからなるものを例示しているが、例えば、図８に示すように、ゴルフクラブ用シャフト１０の一方の端部１０ａの外側に嵌合する円筒状の本体２３ａと、この本体２３ａの内周面上に形成された係合突起２３ｂとからなるものでもよい。また、係合突起２３ｂの形状としても、位置決め用切り欠き１１に係合するものであれば特に限定はない。
【００３１】
また、その他に、様々な内径のゴルフクラブ用シャフトに対応可能な嵌合治具２３として、図９に示すような形態のものも例示できる。図９の嵌合治具２３は、ゴルフクラブ用シャフト１０の一方の端部１０ａの内側に嵌合する円柱状の本体２３ａと、本体２３ａの周上に形成された係合突起２３ｂに加え、この本体２３ａがゴルフクラブ用シャフト１０の端部１０ａ内に挿入された際に、ゴルフクラブ用シャフト１０の端部１０ａ近傍の内周面に対して、内側から付勢するように作用するばね部材２３ｃを有するものである。このような形態の嵌合治具２３を使用することによって、嵌合治具２３が嵌合される端部１０ａの径が多少異なるような複数のゴルフクラブ用シャフト１０についても、そのばね部材２３ｃの作用によって、これをしっかりと保持することができる。よって、嵌合治具２３を、ゴルフクラブ用シャフト１０に応じて、一々取り替える必要がなく、作業性が優れる。 
【００３２】
なお、シャフト用印刷装置２０およびシャフトの印刷方法の説明においては、シャフトとしてゴルフクラブ用シャフト１０を例示したが、少なくとも一方の端部に位置決め用切り欠き１１が形成された筒状のシャフトであれば、ゴルフクラブ用シャフト１０には限定されず、釣り竿用シャフト、スキーストック用シャフトなどのスポーツ用品用シャフトをはじめとして、種々のシャフトに対して適用することができる。
【図面の簡単な説明】
【００３３】
【図１】本発明のスポーツ用品用シャフトの一例を示す斜視図である。
【図２】本発明のスポーツ用品用シャフトの部分拡大斜視図であって、位置決め用切り欠きが、（ａ）Ｖ字状に形成されたもの、（ｂ）Ｕ字状に形成されたもの、（ｃ）扇状に形成されたものである。
【図３】シャフト用印刷装置の一例を示す斜視図である。
【図４】シャフト印刷方法を説明する模式図である。
【図５】図３のシャフト用印刷装置が具備する嵌合治具に、シャフトが嵌合した状態を示す（ａ）部分断面図と、（ｂ）側面図である。
【図６】シャフト印刷方法を説明する模式図である。
【図７】シャフト印刷方法を説明する模式図である。
【図８】シャフト用印刷装置が具備する嵌合治具の他の例を示す断面図である。
【図９】シャフト用印刷装置が具備する嵌合治具の他の例を示す部分断面図である。
【符号の説明】
【００３４】
１１ 位置決め用切り欠き
２０ シャフト用印刷装置
２１ａ 印刷面
２２ シャフト支持手段
２３ 嵌合治具
２３ｂ 係合突起 
【図１】
2008068150.tif 000003
【図２】
2008068150.tif 000004
【図３】
2008068150.tif 000005
【図４】
2008068150.tif 000006
【図５】
2008068150.tif 000007
【図６】
2008068150.tif 000008
【図７】
2008068150.tif 000009
【図８】
2008068150.tif 000010
【図９】
2008068150.tif 000011